(57)【要約】【課題】人が立ち入り可能な作業空間を備えた収納空間内に組み込むのに好適な、平面視でＬ字形の棚構造体を提供する。【解決手段】主棚板１６と副棚板１７を、主棚板１６の長さ方向と平行な側辺に副棚板１７の一端部が隣接する、平面視でＬ字形に接続する状態で、収納空間囲壁４〜６，１０，１１の内側に支持させて成る棚構造体において、前記副棚板１７の一端部は、この一端部に取り付けられた被支持用具２２の突出片２２ａが、主棚板１６の長さ方向と平行な側辺の上に載置されることにより、当該主棚板１６に支持された構成。【選択図】図３
2018064780.tif 000002
【特許請求の範囲】
【請求項１】
主棚板と副棚板とを、主棚板の長さ方向と平行な側辺に副棚板の一端部が隣接する、平面視でＬ字形に接続する状態で、収納空間囲壁の内側に支持させて成る棚構造体において、前記副棚板の一端部は、この一端部に取り付けられた被支持用具の突出片が、主棚板の長さ方向と平行な側辺の上に載置されることにより、当該主棚板に支持されている、棚構造体。
【請求項２】
主棚板の長さ方向の両端には、これら両端が隣接する収納空間囲壁に取り付けられた棚板受け具に対して上から嵌合する凹窪部が設けられ、副棚板の、前記被支持用具を備えていない他端部には、この他端部が隣接する収納空間囲壁に取り付けられた棚板受け具に対して上から嵌合する凹窪部が設けられ、主棚板と副棚板の何れもが、持ち上げにより取り外し可能となっている、請求項１に記載の棚構造体。
【請求項３】
前記被支持用具は、副棚板の端面に開口する開口部に自転不能に差し込まれる差し込み軸部と、この差し込み軸部の先端に連設された倒立Ｌ字形部を備え、この倒立Ｌ字形部の水平板部が主棚板の上に載置される前記突出片となっている、請求項１又は２に記載の棚構造体。
【請求項４】
主棚板と副棚板は、表面板部と裏面板部、及び前記表裏両板部間に巾方向等間隔おきに並列配置されて表裏両板部を連結一体化する、板材長さ方向全長にわたって連続する仕切り板部から成り、前記棚板受け具に対して上から嵌合する凹窪部は、前記裏面板部に形成された、板材長さ方向全長にわたって連続する凹溝部の端部で形成され、この凹溝部の真上に前記仕切り板部が配置されている、請求項２に記載の棚構造体。
【請求項５】
主棚板と副棚板は、表面板部と裏面板部、この表裏両板部間に巾方向等間隔おきに並列配置されて表裏両板部を連結一体化する、板材長さ方向全長にわたって連続する仕切り板部とから成り、前記被支持用具の差し込み軸部が差し込まれる前記開口部は、表面板部と裏面板部、及び隣り合う２つの仕切り板部で囲まれた矩形断面の空洞部の端部で構成されている、請求項３に記載の棚構造体。
【請求項６】
主棚板と副棚板を構成する板材は、その巾方向の一側辺では、裏面が斜め上方に傾斜すると共に、この傾斜裏面と表面とが突出円弧面によって接続され、当該板材の巾方向の他側辺では、垂直側面によって表裏両面が接続され、主棚板は、前記突出円弧面が副棚板に隣接する向きに配置され、副棚板は、その突出円弧面が、主棚板の前記突出円弧面との間で直角入隅部を形成する向きに、配置されている、請求項１〜５の何れか１項に記載の棚構造体。
【発明の詳細な説明】
【技術分野】
【０００１】
本発明は、主棚板と副棚板とを、主棚板の長さ方向と平行な内側辺に副棚板の一端が隣接する状態で、収納空間囲壁の内側に架設して成る棚構造体に関するものである。
【背景技術】
【０００２】
この種の棚構造体は、人が入り込めるような奥行きのある収納空間内において、その正面壁と側面壁とに沿って棚板を平面視でＬ字形に架設する場合などに利用されるが、従来は、その構成を開示した特許文献を示すことは出来ないが、前記主棚板の長さ方向と平行な内側辺に隣接する副棚板の一端は、収納空間囲壁の何れかに直接支持させることが出来ないので、この副棚板の外側辺が隣接する収納空間囲壁に取り付けられて、副棚板の下側に片持ち状に突出する棚受け金具で支持させるか又は、主棚板の内側辺に沿って立設した棚受けフレームに支持させていた。
【発明の概要】
【発明が解決しようとする課題】
【０００３】
上記のように、副棚板の一端を支持させる手段として、片持ち状の棚受け金具を使用する方法では、この副棚板の一端下側に前記棚受け金具が出っ張ることになり、棚受けフレームを使用する方法では、主棚板と副棚板との間の入隅部に、棚受けフレームの支柱が位置することになって、何れの場合も、平面視でＬ字形に連なる主棚板と副棚板との間のコーナー部に対する物品の出し入れに支障を来す結果になる。又、主棚板と副棚板との関連性が無いので、主棚板の表面と副棚板の表面とを面一に連続させることが難しくなる。勿論、前記副棚板の長さが比較的短いときは、主棚板と副棚板とに分けないで、主棚板と副棚板とを平面視でＬ字形に一体形成した特殊形状の棚板を使用することも行われていたが、コスト高になっていた。
【課題を解決するための手段】
【０００４】
本発明は、上記のような従来の問題点を解消することのできる棚構造体を提案するものであって、本発明に係る棚構造体は、後述する実施例との関係を理解し易くするために、当該実施例の説明において使用した参照符号を括弧付きで付して示すと、主棚板(16)と副棚板(17)とを、主棚板(16)の長さ方向と平行な側辺に副棚板(17)の一端部が隣接する、平面視でＬ字形に接続する状態で、収納空間囲壁(4,5,6,10,11)の内側に支持させて成る棚構造体において、前記副棚板(17)の一端部は、この一端部に取り付けられた被支持用具(22)の突出片(22a)が、主棚板(16)の長さ方向と平行な側辺の上に載置されることにより、当該主棚板(16)に支持された構成になっている。
【発明の効果】
【０００５】
上記本発明の構成によれば、主棚板の内側辺に隣接する副棚板の一端部は、この副棚板の一端部に取り付けられた被支持用具の突出片を主棚板の内側辺上に載置するだけで、主棚板の内側辺で支持することが出来るので、従来必要とされていた片持ち状の棚受け金具や、棚受け用フレームなどが不要になり、極めてシンプルで安価に実施することが出来る。しかも、前記棚受け金具や棚受け用フレームなどの存在によって、棚板上や棚板下側の収納空間に対する物品の出し入れに支障を来す恐れがない。又、主棚板の表面と副棚板の表面が面一に連続する高さに副棚板を支持させることが出来、主棚板の内側辺上に載置される被支持用具の突出片の存在が影響しない範囲で、両棚板間に跨って物品を載置することも、両棚板間で物品を滑らすことも支障なく行える。
【０００６】
上記本発明を実施する場合、主棚板の長さ方向の両端部や、副棚板の、前記被支持用具を備えていない他端部は、如何なる構造の支持手段によって支持させても良いが、主棚板(16)の長さ方向の両端には、これら両端が隣接する収納空間囲壁(4,5)に取り付けられた棚板受け具(19,20)に対して上から嵌合する凹窪部（凹溝部(23g,23h)の端部）を設け、副棚板(17)の前記他端部には、この他端部が隣接する収納空間囲壁(10)に取り付けられた棚板受け具(21)に対して上から嵌合する凹窪部（凹溝部(23g,23h)の端部）を設けて、主棚板(16)と副棚板(17)の何れもが、持ち上げにより取り外し可能に構成するのが望ましい。
【０００７】
又、前記被支持用具(22)は、副棚板(17)の端面に開口する開口部（空洞部(24)の端部）に自転不能に差し込まれる差し込み軸部(25a)と、この差し込み軸部(26)の先端に連設された倒立Ｌ字形部(27)を備え、この倒立Ｌ字形部(27)の水平板部が、主棚板(16)の上に載置される前記突出片(22a)となるように構成することが出来る。この構成によれば、前記開口部に対する差し込み軸部の差し込み時の倒立Ｌ字形部の向きさえ注意すれば、副棚板の一端部に前記突出片を正しく位置させて取り付けることが出来、副棚板の一端部に対する前記被支持用具の取付けが極めて簡単容易に行える。
【０００８】
主棚板と副棚板は、無垢の板材で構成することも出来るが、次のように構成することが出来る。即ち、表面板部(23a)と裏面板部(23b)、及び前記表裏両板部(23a,23b)間に巾方向等間隔おきに並列配置されて表裏両板部(23a,23b)を連結一体化する、板材長さ方向全長にわたって連続する仕切り板部(23c)、から構成された中空合成樹脂製とし、前記棚板受け具(19〜21)に対して上から嵌合する凹窪部は、前記裏面板部(23b)に形成された、板材長さ方向全長にわたって連続する凹溝部(23g,23h)の端部で形成し、この凹溝部(23g,23h)の真上に前記仕切り板部(23c)が配置されるように構成することが出来る。この構成によれば、軽量でしかも必要な耐荷重性能を有する棚板とすることが出来る。
【０００９】
又、上記のような構造の中空合成樹脂製棚板によって本発明を実施する場合、前記被支持用具(22)の差し込み軸部(26)が差し込まれる前記開口部は、表面板部(23a)と裏面板部(23b)、及び隣り合う２つの仕切り板部(23c)で囲まれた矩形断面の空洞部(24)の端部で構成することが出来る。この構成によれば、軽量でしかも必要な耐荷重性能を有する棚板の構造そのままを利用しながら、前記被支持用具の差し込み軸部が自転不能に差し込まれる前記開口部を別途設ける必要がなく、簡単容易に実施することが出来る。
【００１０】
尚、主棚板と副棚板は、その全ての側辺が垂直側面となっている一般的な板材で構成することも出来るが、この主棚板(16)と副棚板(17)を構成する板材(23)は、主棚板(16)と副棚板(17)それぞれの巾方向の一側辺では、裏面が斜め上方に傾斜すると共に、この傾斜裏面（傾斜板部(23e)）と表面（表面板部(23a)）とが突出円弧面（突出円弧板部(23f)）によって接続され、当該板材(23)の巾方向の他側辺では、垂直側面（垂直側板部(23d)）によって表裏両面が接続されている構成とし、主棚板(16)は、前記突出円弧面（突出円弧板部(23f)）が副棚板(17)に隣接する向きに配置し、副棚板(17)は、その突出円弧面（突出円弧板部(23f)）が、主棚板(16)の前記突出円弧面（突出円弧板部(23f)）との間で直角入隅部を形成する向きに、配置することが出来る。この構成によれば、主棚板と副棚板の、収納空間の囲壁に隣接する側辺は、垂直側面となっているので、一般的な棚板を使用している場合と同様に、囲壁との間に凹溝が形成されることはなく、小さな物品を載置したようなときにも、収納空間の囲壁との間に当該物品の一部が嵌まり込むようなことはない。しかも、主棚板と副棚板の、人が立つ正面側の側辺は、突出円弧面となっているので、物品の出し入れ時に人の手や肌が摺接しても、傷を負う恐れがなく、安全に使用することが出来る。更に、正面側の側辺は、突出円弧面側ほど斜めに薄肉になっているので、前記突出円弧面の曲率半径を小さくすることが出来、主棚板や副棚板の平坦な表面面積の減じる割合を抑制出来る。
【図面の簡単な説明】
【００１１】
【図１】図１Ａは、本発明に係る棚構造体を採り入れたクローゼットの、正面扉を取り外した状態の正面図、図１Ｂは、同上クローゼットの、図１ＡのＡ−Ａ線位置での断面図である。
【図２】図２Ａは、図１ＢのＢ−Ｂ線断面図、図２Ｂは、前記クローゼットの、図２ＡのＣ−Ｃ線位置での断面図である。
【図３】図３は、同上クローゼットの要部の拡大横断平面図である。
【図４】図４は、図３に示す要部を分解して示す、主棚板と副棚板の縦断面図を含む平面図である。
【図５】図５Ａは、主棚板と副棚板の断面構造を示す斜視図、図５Ｂは、副棚板の支持構造を示す要部の縦断側面図である。
【図６】図６Ａは、副棚板に使用される被支持用具の斜視図、図６Ｂは、同平面図、図６Ｃは、同側面図である。
【発明を実施するための形態】
【００１２】
図１Ａ〜図２Ｂに示すクローゼット１は、本発明の棚構造体を採用したものであって、床板２、天板３、左右両側板４，５、背板６、及び大小２枚の巾の異なる開閉扉７ａ，７ｂで囲まれた収納空間内に、大巾開閉扉７ａで開閉される主収納部８と、小巾開閉扉７ｂで開閉される副収納部９とが形成されている。この副収納部９は、閉じた小巾開閉扉７ｂと側板５との間の入隅部に、一側辺が側板５に取り付けられた間口方向の仕切り板１０と、この仕切り板１０の他側辺に取り付けられた奥行き方向の仕切り板１１によって形成された、横断面が四角形の柱状空間であって、両仕切り板１０，１１の下側辺は、床板２から上方に離れて位置し、両仕切り板１０，１１の上側辺は、天板３に取り付けられている。そしてこの副収納部９内の下端近傍位置には、側板５と両仕切り板１０，１１に取り付けられた固定棚板１２が設けられ、この固定棚板１２より上方には、上下複数段に、高さ変更自在な可動棚板１３が架設されている。このクローゼット１の主収納部８における収納空間囲壁は、左右両側板４，５、背板６、間口方向の仕切り板１０、及び奥行き方向の仕切り板１１となる。
【００１３】
主収納部８は、副収納部９の後ろ側に入り込んでいる、横断面がＬ字形の柱状空間であって、その上端側には、左右両側板４，５、背板６、及び副収納部９を形成している間口方向の仕切り板１０に取り付けられたＬ字形固定棚板１４が架設されている。このＬ字形固定棚板１４の下側に、本発明の棚構造体を採用した上下複数段のＬ字形可動棚板１５が架設されている。Ｌ字形固定棚板１４は、この主収納部８の奥行きの半分弱の巾で、間口方向の全巾と等しい長さの主棚板部１４ａと、この主棚板部１４ａの側板５側の前側辺から一体に連設した副棚板部１４ｂから成り、主棚板部１４ａと副棚板部１４ｂとの間の入隅部は円弧形に湾曲している。
【００１４】
各段のＬ字形可動棚板１５は、同一構造のものであって、前記Ｌ字形固定棚板１４の主棚板部１４ａより巾が狭く、主収納部８の間口方向の全巾と等しい長さの主棚板１６と、副棚板１７とで構成されている。この副棚板１７は、副収納部９を構成している間口方向の仕切り板１０と同一巾のもので、当該仕切り板１０と主棚板１６の側辺との間を埋めるように、主棚板１６と同一高さに、平面視でＬ字形に架設されている。従って、図１Ｂ及び図２Ｂに示すように、主収納部８には、副収納部９を構成している奥行き方向の仕切り板１１と側板４との間の巾で、副収納部９の奥行きに副棚板１７の長さを加えた奥行きの、大巾開閉扉７ａで開閉される平面視が四角柱状の人が立ち入り可能な作業空間１８が形成されている。
【００１５】
図３に示すように、Ｌ字形可動棚板１５の主棚板１６は、その後側辺が背板６に隣接する状態で、長さ方向（主収納部８の間口方向）の両端が、左右両側板４，５に取り付けられた、それぞれ２本の棚板受け具１９，２０によって支持され、副棚板１７は、副収納部９の仕切り板１０に取り付けられた２本の棚板受け具２１によって、この副収納部９の仕切り板１０に隣接する一端部が支持されると共に、この副棚板１７の他端部は、当該他端部に取り付けられた２本の被支持用具２２の突出片２２ａが主棚板１６の内側辺上に載置されることにより、当該主棚板１６の内側辺で支持されている。
【００１６】
図４Ａ〜図５Ｂに示すように、主棚板１６と副棚板１７は、同一巾の板材２３から構成されたもので、その板材２３は、表面板部２３ａと裏面板部２３ｂ、前記表裏両板部２３ａ，２３ｂ間に巾方向等間隔おきに並列配置されて、表裏両板部２３ａ，２３ｂを連結一体化する仕切り板部２３ｃ、この板材２３の巾方向の一側辺に位置する垂直側板部２３ｄ、当該板材２３の巾方向の他側辺の裏面板部２３ｂに形成された斜め上方への傾斜板部２３ｅ、この傾斜板部２３ｅと同一側の表面板部２３ａの側辺と当該傾斜板部２３ｅとを連結一体化する突出円弧板部２３ｆ、前記垂直側板部２３ｄに隣り合う仕切り板部２３ｃと交叉する裏面板部２３ｂを内側に入り込むように成形させて成る凹溝部２３ｇ、及び前記傾斜板部２３ｅの内側に隣り合う仕切り板部２３ｃと交叉する裏面板部２３ｂを内側に入り込むように成形させて成る凹溝部２３ｈから成るもので、前記仕切り板部２３ｃ、垂直側板部２３ｄ、傾斜板部２３ｅ、突出円弧板部２３ｆ、及び２本の凹溝部２３ｇ，２３ｈは、全てこの板材２３の長さ方向に連続するものであって、板材２３の全体が合成樹脂により一体に押出し成型されたものである。従って、主棚板１６と副棚板１７には、表裏両板部２３ａ，２３ｂと隣り合う２つの仕切り板部２３ｃで囲まれた、板材２３の全長にわたって連続する矩形断面の空洞部２４が、板材２３の巾方向に並列し、凹溝部２３ｇ，２３ｈと共に、板材２３の長さ方向の両端に開口していることになる。
【００１７】
尚、上記構成の板材２３では、その巾方向の一側辺では、裏面板部２３ｂにおける傾斜板部２３ｅの傾斜裏面と、表面板部２３ａの表面とが、突出円弧板部２３ｆの外側の突出円弧面によって接続され、当該板材２３の巾方向の他側辺では、垂直側板部２３ｄの外側の垂直側面によって、表面板部２３ａの表面と裏面板部２３ｂの裏面が接続され、各凹溝部２３ｇ，２３ｈの上半湾曲部の頂上外側面と表面板部２３ａとが、短くなった仕切り板部２３ｃによって連結一体化され、そして傾斜板部２３ｅは、その横断面形状が内側に凹曲するように湾曲し、その巾方向の中央部に１つの短くなった仕切り板部２３ｃが配置された構成になっている。主棚板１６は、上記構成の板材２３が、その垂直側板部２３ｄが背板６に隣接する向きで使用され、副棚板１７は、上記構成の板材２３が、その垂直側板部２３ｄが側板５に隣接する向きに使用されている。従って、主棚板１６と副棚板１７は、その突出円弧板部２３ｆが、主収納部８の作業空間１８側に位置して互いに直角に連なる状態になっている。この結果、主棚板１６の長さ方向の両端、即ち、板材２３の各空洞部２４と凹溝部２３ｇの両端開口部が、左右両側板４，５に直角向きに隣接し、副棚板１７の長さ方向の両端、即ち、板材２３の各空洞部２４と凹溝部２３ｈの両端開口部が、主棚板１６の突出円弧板部２３ｆと、副収納部９を構成している間口方向の仕切り板１０とに対し、直角向きに隣接している。
【００１８】
各棚板受け具１９〜２１は、同一構造の従来周知のものであって、左右両側板４，５及び間口方向の仕切り板１０に取り付けられる取付け用軸部２５ａの外端に、当該取付け用軸部２５ａと同心状に円柱状軸部２５ｂを連設したものである。左右両側板４，５には、垂直側板部２３ｄを背板６に隣接させた水平状態の主棚板１６の、長さ方向両端に開口する２本の凹溝部２３ｇ，２３ｈに隣接する２つ一組の取付け孔２８が、上下方向一定間隔おきに設けられ、間口方向の仕切り板１０には、垂直側板部２３ｄを側板５に隣接させた水平状態の副棚板１７の、前記仕切り板１０に隣接する長さ方向一端に開口する２本の凹溝部２３ｇ，２３ｈに隣接する２つ一組の取付け孔２８が、左右両側板４，５に設けられた取付け孔２８と同一高さに位置するように、上下方向一定間隔おきに設けられている。各棚板受け具１９〜２１が備える取付け用軸部２５ａは、取付け孔２８に差し込むか又は捻じ込みによって取り付けられるもので、円柱状軸部２５ｂは、板材２３の凹溝部２３ｇ，２３ｈの内巾よりは狭いが高さよりは少し大き目の直径を有し、当該凹溝部２３ｇ，２３ｈを上から嵌合させることが出来るものである。
【００１９】
被支持用具２２は、図６に示すように、上下両帯状板部２６ａ，２６ｂを、これらと直交する向きの１つの帯状板部２６ｃで連結一体化して成る、断面倒立Ｈ形の差し込み軸部２６と、この差し込み軸部２６の先端に連設された倒立Ｌ字形部２７を備え、この倒立Ｌ字形部２７の水平板部が、主棚板１６の上に載置される前記突出片２２ａとなっている。前記差し込み軸部２６は、板材２３の空洞部２４内に自転不能に差し込み可能な断面サイズとなっている。
【００２０】
主収納部８内にＬ字形可動棚板１５を架設するときは、左右両側板４，５と間口方向の仕切り板１０に、Ｌ字形可動棚板１５を支持させる高さにある取付け孔２８と取付け用軸部２５ａを利用して、棚板受け具１９〜２１を取り付けておく。次に、左右両側板４，５に同一高さで取り付けられている各２本の棚板受け具１９，２０より上方位置から、垂直側板部２３ｄを背板６に隣接させた状態の主棚板１６を下方にスライドさせて、その長さ方向に沿った２本の凹溝部２３ｇ，２３ｈの両端部を、各２本の棚板受け具１９，２０の円柱状軸部２５ｂに上から嵌合させる。この結果、主棚板１６は、垂直側板部２３ｄが背板６に隣接する水平状態で、間口方向と平行な長さ方向の両端が左右両側板４，５に、それぞれ２本の棚板受け具１９，２０の円柱状軸部２５ｂによって支持された状態になる。同様にして、他の高さにも主棚板１６を水平に架設する。
【００２１】
次に、各副棚板１７を、その垂直側板部２３ｄが側板５に隣接する向きにしたときに、主棚板１６に隣接する側の長さ方向（奥行き方向）の一端に開口する各空洞部２４の内、凹溝部２３ｇ，２３ｈより内側にある２つの空洞部２４に、被支持用具２２の差し込み軸部２６を、先端の突出片２２ａが上になる向きに差し込む。この状態の副棚板１７を、組み合わせる主棚板１６と同一高さで間口方向の仕切り板１０に取り付けられている２本の棚板受け具２１より上方位置で、垂直側板部２３ｄを側板５に隣接させると共に、主棚板１６とは反対側の長さ方向（奥行き方向）他端を間口方向の仕切り板１０に隣接させた状態で、下方にスライドさせて、仕切り板１０に隣接する前記他端に開口する２本の凹溝部２３ｇ，２３ｈを、２本の棚板受け具２１の円柱状軸部２５ｂに上から嵌合させると同時に、主棚板１６側の長さ方向（奥行き方向）一端から突出している２本の被支持用具２２の突出片２２ａを、主棚板１６の突出円弧板部２３ｆのある側辺の上に載置させる。この結果、副棚板１７は、垂直側板部２３ｄが側板５に隣接する水平状態で、間口方向の仕切り板１０と主棚板１６との間で水平に支持され、Ｌ字形可動棚板１５が完成する。このとき、主棚板１６の表面と副棚板１７の表面とが面一になるように、被支持用具２２の突出片２２ａは、その下側面が副棚板１７の表面と同一レベルになるように構成されている。同様にして、他の高さの主棚板１６に対しても副棚板１７を組み合わせて、各段のＬ字形可動棚板１５を完成させる。
【００２２】
上記構成によれば、主棚板１６が有する凹溝部２３ｇ，２３ｈの両端部と、副棚板１７が有する凹溝部２３ｇ，２３ｈの一端部が、各棚板受け具１９〜２１の円柱状軸部２５ｂに対して上から嵌合する凹窪部となっており、副棚板１７の空洞部２４の内、被支持用具２２の差し込み軸部２６が差し込まれる空洞部２４の端部が、当該被支持用具２２の差し込み用開口部となっているが、無垢の板材から主棚板１６及び副棚板１７を構成するときは、各棚板受け具１９〜２１の円柱状軸部２５ｂに対して上から嵌合する凹窪部と、被支持用具２２の差し込み軸部２６が差し込まれる開口部を、加工することになる。又、本発明の棚構造体を組み込む対象は、上記のクローゼット１に限定されるものではなく、主棚板１６の長さ方向の両端を支持する収納空間囲壁（上記実施例の左右両側板４，５）と、当該主棚板１６と平面視でＬ字形に接続される副棚板１７の、主棚板１６とは反対側の端部を支持する収納空間囲壁（上記実施例の間口方向の仕切り板１０）を備えた収納空間であれば、本発明の棚構造体を組み込むことが出来る。
【産業上の利用可能性】
【００２３】
本発明の棚構造体は、人が立ち入り可能な作業空間を備えた収納空間内に組み込むのに好適な、平面視でＬ字形の棚構造体として活用出来る。
【符号の説明】
【００２４】
１    クローゼット
２    床板
３    天板
４，５    側板
６    背板
７ａ，７ｂ    開閉扉
８    主収納部
９    副収納部
１０    間口方向の仕切り板
１１    奥行き方向の仕切り板
１４    Ｌ字形固定棚板
１５    Ｌ字形可動棚板
１６    主棚板
１７    副棚板
１８    作業空間
１９〜２１    棚板受け具
２２    被支持用具
２２ａ    突出片
２３    板材
２３ａ    表面板部
２３ｂ    裏面板部
２３ｃ    仕切り板部
２３ｄ    垂直側板部
２３ｅ    傾斜板部
２３ｆ    突出円弧板部
２３ｇ，２３ｈ    凹溝部
２４    空洞部
２５ａ    棚板受け具の取付け用軸部
２５ｂ    棚板受け具の円柱状軸部
２６    被支持用具の差し込み軸部
２７    被支持用具の倒立Ｌ字形部
２８    取付け孔
【図１】
2018064780.tif 000003
【図２】
2018064780.tif 000004
【図３】
2018064780.tif 000005
【図４】
2018064780.tif 000006
【図５】
2018064780.tif 000007
【図６】
2018064780.tif 000008
【手続補正書】
【提出日】平成29年9月15日(2017.9.15)
【手続補正１】
【補正対象書類名】特許請求の範囲
【補正対象項目名】全文
【補正方法】変更
【補正の内容】
【特許請求の範囲】
【請求項１】
主棚板と副棚板とを、主棚板の長さ方向と平行な側辺に副棚板の一端部が隣接する、平面視でＬ字形に接続する状態で、収納空間囲壁の内側に支持させて成る棚構造体であって、前記副棚板の一端部は、この一端部に取り付けられた被支持用具の突出片が、主棚板の長さ方向と平行な側辺の上に載置されることにより、当該主棚板に支持されている棚構造体において、
主棚板の長さ方向の両端には、これら両端が隣接する収納空間囲壁に取り付けられた棚板受け具に対して上から嵌合する凹窪部が設けられ、副棚板の、前記被支持用具を備えていない他端部には、この他端部が隣接する収納空間囲壁に取り付けられた棚板受け具に対して上から嵌合する凹窪部が設けられ、主棚板と副棚板の何れもが、持ち上げにより取り外し可能となっている、棚構造体。
【請求項２】
前記被支持用具は、副棚板の端面に開口する開口部に自転不能に差し込まれる差し込み軸部と、この差し込み軸部の先端に連設された倒立Ｌ字形部を備え、この倒立Ｌ字形部の水平板部が主棚板の上に載置される前記突出片となっている、請求項１に記載の棚構造体。
【請求項３】
主棚板と副棚板は、表面板部と裏面板部、及び前記表裏両板部間に巾方向等間隔おきに並列配置されて表裏両板部を連結一体化する、板材長さ方向全長にわたって連続する仕切り板部から成り、前記棚板受け具に対して上から嵌合する凹窪部は、前記裏面板部に形成された、板材長さ方向全長にわたって連続する凹溝部の端部で形成され、この凹溝部の真上に前記仕切り板部が配置されている、請求項１に記載の棚構造体。
【請求項４】
主棚板と副棚板は、表面板部と裏面板部、及び前記表裏両板部間に巾方向等間隔おきに並列配置されて表裏両板部を連結一体化する、板材長さ方向全長にわたって連続する仕切り板部から成り、前記被支持用具の差し込み軸部が差し込まれる前記開口部は、表面板部と裏面板部、及び隣り合う２つの仕切り板部で囲まれた矩形断面の空洞部の端部で構成されている、請求項２に記載の棚構造体。
【請求項５】
主棚板と副棚板を構成する板材は、その巾方向の一側辺では、裏面が斜め上方に傾斜すると共に、この傾斜裏面と表面とが突出円弧面によって接続され、当該板材の巾方向の他側辺では、垂直側面によって表裏両面が接続され、主棚板は、前記突出円弧面が副棚板に隣接する向きに配置され、副棚板は、その突出円弧面が、主棚板の前記突出円弧面との間で直角入隅部を形成する向きに、配置されている、請求項１〜４の何れか１項に記載の棚構造体。
【手続補正２】
【補正対象書類名】明細書
【補正対象項目名】０００４
【補正方法】変更
【補正の内容】
【０００４】
本発明は、上記のような従来の問題点を解消することのできる棚構造体を提案するものであって、本発明に係る棚構造体は、後述する実施例との関係を理解し易くするために、当該実施例の説明において使用した参照符号を括弧付きで付して示すと、主棚板(16)と副棚板(17)とを、主棚板(16)の長さ方向と平行な側辺に副棚板(17)の一端部が隣接する、平面視でＬ字形に接続する状態で、収納空間囲壁(4,5,6,10,11)の内側に支持させて成る棚構造体であって、前記副棚板(17)の一端部は、この一端部に取り付けられた被支持用具(22)の突出片(22a)が、主棚板(16)の長さ方向と平行な側辺の上に載置されることにより、当該主棚板(16)に支持されている棚構造体において、主棚板(16)の長さ方向の両端には、これら両端が隣接する収納空間囲壁(4,5)に取り付けられた棚板受け具(19,20)に対して上から嵌合する凹窪部（凹溝部(23g,23h)の端部）が設けられ、副棚板(17)の、前記被支持用具(22)を備えていない他端部には、この他端部が隣接する収納空間囲壁(10)に取り付けられた棚板受け具(21)に対して上から嵌合する凹窪部（凹溝部(23g,23h)の端部）が設けられ、主棚板(16)と副棚板(17)の何れもが、持ち上げにより取り外し可能な構成になっている。
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】変更
【補正の内容】
【０００７】
上記本発明を実施する場合、前記被支持用具(22)は、副棚板(17)の端面に開口する開口部（空洞部(24)の端部）に自転不能に差し込まれる差し込み軸部(25a)と、この差し込み軸部(26)の先端に連設された倒立Ｌ字形部(27)を備え、この倒立Ｌ字形部(27)の水平板部が、主棚板(16)の上に載置される前記突出片(22a)となるように構成することが出来る。この構成によれば、前記開口部に対する差し込み軸部の差し込み時の倒立Ｌ字形部の向きさえ注意すれば、副棚板の一端部に前記突出片を正しく位置させて取り付けることが出来、副棚板の一端部に対する前記被支持用具の取付けが極めて簡単容易に行える。